(57)【要約】【課題】    本考案は、収集品の側面に施されたデザインを看者に認識させることができる見栄えの良好なコレクションケースを提供する。【解決手段】    コレクションケースＡは、複数の収集品１０を載せる台１と、この台１を覆う透明なカバー２と、前記台１には、動かない静止台部１１と、回転自在な回転台部１２とを備えているものである。【選択図】    図３
0003115598.tif 000002
【実用新案登録請求の範囲】
【請求項１】
複数の収集品を載せる台と、
この台を覆う透明なカバーと、
前記台には、動かない静止台部と、回転自在な回転台部とを備えている
ことを特徴とするコレクションケース。
【請求項２】
台は平面視四角形で、
カバーは直方体形状で、底部を有しない正面部、右側面部、背面部、左側面部、天井面部を有し、
前記カバーは、前記台に着脱自在に取り付けられることを特徴とする請求項１記載のコレクションケース。
【請求項３】
複数の被陳列物を載せる台と、
この台を覆う透明なカバーと、
前記台には、動かない静止台部と、回転自在な回転台部とを備えている
ことを特徴とする陳列ケース。
【請求項４】
台は平面視四角形で、
カバーは直方体形状で、底部を有しない正面部、右側面部、背面部、左側面部、天井面部を有し、
前記カバーは、前記台に着脱自在に取り付けられることを特徴とする請求項３記載の陳列ケース。
【請求項５】
正面部が開放し、右側面板、背面板、左側面板、天井面板、底面板を有した直方体形状のケース本体と、
このケース本体の開放された前記正面部を閉塞し、前記ケース本体にスライド自在に設けられた透明なカバーと、
前記ケース本体内に設けられ、前記底面板に平行で、複数の収集品を載せる水平台と、
この水平台には、動かない静止台部と、回転自在な回転台部とを備えていることを特徴とするコレクションケース。
【請求項６】
回転台部の一方の側に立設し、ケース本体内に設けられ、右側面板に平行な第１の立設部と、
この第１の立設部に設けられた複数の溝部と、
前記回転台部の他方の側に立設し、ケース本体内に設けられ、左側面板に平行な第２の立設部と、
この第２の立設部に設けられた複数の溝部と、
前記第１の立設部に設けられた溝部と前記第２の立設部に設けられた溝部にスライド自在に収納され、底面板に平行で前記回転台部の上を横断し、収集品を載せる補助水平台とを備えていることを特徴とする請求項５記載のコレクションケース。
【請求項７】
正面部が開放し、右側面板、背面板、左側面板、天井面板、底面板を有した直方体形状のケース本体と、
このケース本体の開放された前記正面部を閉塞し、前記ケース本体にスライド自在に設けられた透明なカバーと、
前記ケース本体内に設けられ、前記底面板に平行で、複数の被陳列物を載せる水平台と、
この水平台には、動かない静止台部と、回転自在な回転台部とを備えていることを特徴とする陳列ケース。
【請求項８】
回転台部の一方の側に立設し、ケース本体内に設けられ、右側面板に平行な第１の立設部と、
この第１の立設部に設けられた複数の溝部と、
前記回転台部の他方の側に立設し、ケース本体内に設けられ、左側面板に平行な第２の立設部と、
この第２の立設部に設けられた複数の溝部と、
前記第１の立設部に設けられた溝部と前記第２の立設部に設けられた溝部にスライド自在に収納され、底面板に平行で前記回転台部の上を横断し、被陳列物を載せる補助水平台とを備えていることを特徴とする請求項７記載の陳列ケース  。
【考案の詳細な説明】
【技術分野】
【０００１】
本考案は、コレクションケース及び陳列ケースに係り、特に、収集品又は被陳列物の側面に施されたデザインを看者に認識させることができる見栄えの良好なコレクションケース及び陳列ケースに関する。
【背景技術】
【０００２】
従来、収集品を載せる台と、この台を覆い、透明なカバーとを有するコレクションケースがある（例えば、特許文献１参照）。
収集品を載せる台は、静止しているため、おもしろさに欠けると共に、収集品の周囲を見るためには、看者が動かねばならず、見栄え等において問題点があった。
【特許文献１】実用新案登録第３０２９３６８号公報（図１）
【考案の開示】
【考案が解決しようとする課題】
【０００３】
本考案は、前記した問題点を除去するようにしたコレクションケース及び陳列ケースを提供することを目的としている。
【課題を解決するための手段】
【０００４】
前記した目的を達成するための請求項１記載のコレクションケースは、複数の収集品を載せる台と、この台を覆う透明なカバーと、前記台には、動かない静止台部と、回転自在な回転台部とを備えているものである。
【０００５】
また、請求項２記載のコレクションケースは、請求項１記載のコレクションケースにおいて、台は平面視四角形で、カバーは直方体形状で、底部を有しない正面部、右側面部、背面部、左側面部、天井面部を有し、前記カバーは、前記台に着脱自在に取り付けられるものである。
【０００６】
また、請求項３記載の陳列ケースは、複数の被陳列物を載せる台と、この台を覆う透明なカバーと、 前記台には、動かない静止台部と、回転自在な回転台  部とを備えているものである。
【０００７】
また、請求項４記載の陳列ケースは、請求項３記載の陳列ケースにおいて、  台は平面視四角形で、カバーは直方体形状で、底部を有しない正面部、右側面部、背面部、左側面部、天井面部を有し、前記カバーは、前記台に着脱自在に取り付けられるものである。
【０００８】
また、請求項５記載のコレクションケースは、正面部が開放し、右側面板、背面板、左側面板、天井面板、底面板を有した直方体形状のケース本体と、このケース本体の開放された前記正面部を閉塞し、前記ケース本体にスライド自在に設けられた透明なカバーと、前記ケース本体内に設けられ、前記底面板に平行で  、複数の収集品を載せる水平台と、この水平台には、動かない静止台部と、回転自在な回転台部とを備えているものである。
【０００９】
また、請求項６記載のコレクションケースは、請求項５記載のコレクションケースにおいて、回転台部の一方の側に立設し、ケース本体内に設けられ、右側面板に平行な第１の立設部と、この第１の立設部に設けられた複数の溝部と、前記回転台部の他方の側に立設し、ケース本体内に設けられ、左側面板に平行な第２の立設部と、この第２の立設部に設けられた複数の溝部と、前記第１の立設部に設けられた溝部と前記第２の立設部に設けられた溝部にスライド自在に収納され、底面板に平行で前記回転台部の上を横断し、収集品を載せる補助水平台とを備えているものである。
【００１０】
また、請求項７記載の陳列ケースは、正面部が開放し、右側面板、背面板、左側面板、天井面板、底面板を有した直方体形状のケース本体と、このケース本体の開放された前記正面部を閉塞し、前記ケース本体にスライド自在に設けられた透明なカバーと、前記ケース本体内に設けられ、前記底面板に平行で、複数の被陳列物を載せる水平台と、この水平台には、動かない静止台部と、回転自在な回転台部とを備えているものである。
【００１１】
また、請求項８記載の陳列ケースは、請求項７記載の陳列ケースにおいて、回転台部の一方の側に立設し、ケース本体内に設けられ、右側面板に平行な
第１の立設部と、この第１の立設部に設けられた複数の溝部と、前記回転台部の他方の側に立設し、ケース本体内に設けられ、左側面板に平行な第２の立設部と  、この第２の立設部に設けられた複数の溝部と、前記第１の立設部に設けられた溝部と前記第２の立設部に設けられた溝部にスライド自在に収納され、底面板に平行で前記回転台部の上を横断し、被陳列物を載せる補助水平台とを備えているものである。
【考案の効果】
【００１２】
請求項１記載のコレクションケースによれば、回転台部が回転するため、  回転台部上に載置された収集品の側面に施されたデザインを看者に認識させることができ、見栄えの良好なコレクションケースを得ることができる。
【００１３】
又、請求項３記載の陳列ケースによれば、回転台部が回転するため、回転台部上に載置された被陳列物の側面に施されたデザインを看者に認識させることができ、見栄えの良好な陳列ケースを得ることができ、特に、被陳列物の広告宣伝効果、販売促進効果等を発揮することができる。
【００１４】
又、請求項５記載のコレクションケースによれば、回転台部が回転するため、回転台部上に載置された収集品の側面に施されたデザインを看者に認識させることができ、見栄えの良好なコレクションケースを得ることができる。
【００１５】
又、請求項６記載のコレクションケースによれば、上述した請求項５記載の考案の効果に加え、回転台部の上に補助水平台を設けて収集品を載せる場所を増加させると共に、回転台部の上に載せる収集品の高さに応じて、補助水平台の位置を移動させることもできる。
【００１６】
又、請求項７記載の陳列ケースによれば、回転台部が回転するため  、回転台部上に載置された被陳列物の側面に施されたデザインを看者に認識させることができ、見栄えの良好な陳列ケースを得ることができ、特に、被陳列物の広告宣伝効果、販売促進効果等を発揮することができる。
【００１７】
又、請求項８記載の陳列ケースによれば、上述した請求項７記載の考案の効果に加え、回転台部の上に補助水平台を設けて被陳列物を載せる場所を増加させると共に、回転台部の上に載せる収集品の高さに応じて、補助水平台の位置を移動させることもできる。
【考案を実施するための最良の形態】
【００１８】
本考案の一実施例のコレクションケース及び陳列ケースを図面を参照して説明する。
図１乃至図３において、Ａはコレクションケース（又は陳列ケース）で、コレクションケース（又は陳列ケース）Ａは、複数の収集品（又は被陳列物）１０を載せる台１と、この台１を覆う透明なカバー２とを有している。
収集品（又は被陳列物）１０は、例えば、ミニカー、人形、動物等のフィギュア等であり、台１は平面視四角形で、カバー２は直方体形状で、底部を有しない正面部２１、右側面部２２、背面部２３、左側面部２４、天井面部２５を有し  、カバー１は、図１乃至図３に示すように、台１に着脱自在に取り付けられるようになっている。
なお、台１には、動かない静止台部１１と、回転自在な回転台部１２とを備え、回転台部１２は、駆動源である電池（図示せず）により回転するモータ１３の回転軸１４により緩やかに回転するようになっている。
【００１９】
従って、上述したコレクションケース（又は陳列ケース）Ａによれば、回転台部１２が回転するため、回転台部１２上に載置された収集品（又は被陳列物）１０の側面に施されたデザインを看者に認識させることができ、見栄えの良好なコレクションケース（又は陳列ケース）Ａを得ることができる。特に、陳列ケースＡの場合、被陳列物１０の広告宣伝効果、販売促進効果等を発揮することができる。
【００２０】
次に示すコレクションケース（又は陳列ケース）Ａは水平な台上にも載置できるが、壁Ｋ（図６参照）にも取り付けることができる。
図４乃至図６に示すＡは、コレクションケース（又は陳列ケース）で、コレクションケース（又は陳列ケース）Ａは、正面部が開放し、右側面板３１、背面板３２、左側面板３３、天井面板３４、底面板３５を有した直方体形状のケース本体３０と、このケース本体３０の開放された前記正面部を閉塞し、ケース本体３０にスライド自在に設けられた透明なカバー４０とを有している。この実施例の透明なカバー４０は、図５に示すように第１の透明なカバー４１、第２の透明なカバー４２と二部材となっている。なお、図示しないが、第１の透明なカバー４１と第２の透明なカバー４２とを一体化し、一部材としても良い。
５０は、ケース本体３０内に設けられ、底面板３５に平行で、複数の収集品（又は被陳列物）１０を載せる水平台で、この水平台５０には、動かない静止台部５１と、回転自在な回転台部５２とを備えている。
ケース本体３０内は、図４に示すように、格子状に仕切られている。そして  、回転台部５２の一方の側に立設し、ケース本体３０内に設けられ、右側面板３１に平行な第１の立設部３１ａが、この第１の立設部３１ａに複数の溝部３１ｂが、それぞれ設けられている。また、回転台部５２の他方の側に立設し、ケース本体３０内に設けられ、左側面板３３に平行な第２の立設部３３ａが、この第２の立設部３３ａに複数の溝部３３ｂが、それぞれ設けられている。
また、第１の立設部３２ａに設けられた溝部３２ｂと第２の立設部３３ａに設けられた溝部３３ｂにスライド自在に収納され、底面板３５に平行で回転台部５２の上を横断し、収集品（又は被陳列物）１０を載せる補助水平台６０とを備えている。
そして、壁Ｋにケース本体３０を取り付けるには、例えば、図６に示すように、壁Ｋに部材７０、７０、７０、７０をビス７１、７１、７１、７１により取り付け、部材７０、７０、７０、７０にケース本体３０を係止するようにする。  
なお、回転台部５２上に載せる収集品（又は被陳列物）１０の大きさは、収集品（又は被陳列物）１０の回転に支障がないように選定されるものであり、又  、収集品（又は被陳列物）１０が大きい場合、「第１の立設部３１ａと第２の立設部３３ａとの間隔」を「図４記載の第１の立設部３１ａと第２の立設部３３ａとの間隔」より広く取るようにする。
【００２１】
従って、上述したコレクションケース（又は陳列ケース）Ａによれば、回転台部５２が回転するため、回転台部５２上に載置された収集品（又は被陳列物）１０の側面に施されたデザインを看者に認識させることができ、見栄えの良好なコレクションケースを得ることができ、特に、陳列ケースＡの場合、被陳列物１０の広告宣伝効果、販売促進効果等を発揮することができ、しかも、回転台部５２の上に補助水平台６０を設けて収集品（又は被陳列物）１０を載せる場所を増加させると共に、回転台部５２の上に載せる収集品（又は被陳列物）１０の高さに応じて、補助水平台６０の位置を移動させることもできる。
【００２２】
なお、ケース本体３０の大きさ及びケース本体３０内の仕切りは、図６記載に限らず、図７に示すように、ケース本体３０の大きさ及びケース本体３０内の仕切りは適宜設定することができる。
【図面の簡単な説明】
【００２３】
【図１】図１は、本考案の一実施例であるコレクションケース（又は陳列ケース）の概略的分解斜視図である。
【図２】図２は、図１のコレクションケース（又は陳列ケース）の概略的断面図である。
【図３】図３は、図１のコレクションケース（又は陳列ケース）の使用状態の概略的斜視図である。
【図４】図４は、図１のコレクションケース（又は陳列ケース）と異なる他の実施例のコレクションケース（又は陳列ケース）の概略的正面図である。
【図５】図５は、図４のコレクションケース（又は陳列ケース）を分解して示す概略的分解正面図である。
【図６】図６は、図４のコレクションケース（又は陳列ケース）を壁に取り付ける前の状態の概略的斜視図である。
【図７】図７は、図４のケース本体及び仕切りを異ならせたコレクションケース（又は陳列ケース）の概略的正面図である。
【符号の説明】
【００２４】
Ａ    …………コレクションケース
１    …………台
２    …………カバー
１１  …………静止台部
１２  …………回転台部
【図１】
0003115598.tif 000003
【図２】
0003115598.tif 000004
【図３】
0003115598.tif 000005
【図４】
0003115598.tif 000006
【図５】
0003115598.tif 000007
【図６】
0003115598.tif 000008
【図７】
0003115598.tif 000009